(57)【要約】
【課題】弾性回復する添接片を用いることにより、使用において、常時、腋下への添接状態を維持してフィット装着性と吸汗性能を改善する。
【解決手段】腋の汗とりパッドＸが、少なくとも３層構成の添接片１と弾性ストラップ２から構成される。添接片１は、腋下の上腕内側部位と腋窩部位とを平面的に覆うように面状形成され、皮膚に当接する吸汗速乾層11と、衣服への裏当てとなる非透水層14と、層間の上腕内側部位３に添接する対応領域に介在配置され耐水性柔軟弾性芯材(12)からなる弾性保形層12と、層間の腋窩部位に添接する対応領域で耐水性柔軟弾性芯材(12)を除去した通気層13を有し、各層の外周縁を固着一体化し、かつ、各層間を非接着状態で重合してなる。弾性ストラップ２は、添接片１の横断方向両端縁に対形成され、一端を固定端として取着し、他端を自由端として掛止要素21を設けている。
【選択図】      図１
0003100981.tif 000002
【実用新案登録請求の範囲】
【請求項１】
積層体からなる添接片を有し、ブラジャーの肩紐にストラップを係合させて腋下に装着するようにした腋の汗とりパッドの改善において、
身体動作にともなう折り曲げその他の変形に対して弾性回復する添接片を用い、使用において、常時、腋下への添接状態又はフィット装着を維持するようにした腋の汗とりパッドであって、
少なくとも３層構成の添接片が腋下の上腕内側部位と腋窩部位とを平面的に覆うように面状形成され、皮膚に当接する吸汗速乾層と、衣服への裏当てとなる非透水層と、前記層間の上腕内側部位に添接する対応領域に介在配置され耐水性柔軟弾性芯材からなる弾性保形層と、前記層間の腋窩部位に添接する対応領域で前記耐水性柔軟弾性芯材を除去した通気層を有し、各層の外周縁を固着一体化し、かつ、各層間を非接着状態で重合してなるとともに、前記添接片の横断方向両端縁に対形成され、一端を固定端として取着し、他端を自由端として掛止要素を設けた弾性ストラップを有してなることを特徴とする腋の汗とりパッド。
【請求項２】
耐水性柔軟弾性芯材が熱可塑性エラストマーであって、装着時の腋窩部位に添接する対応領域を幅広の三日月形に切除して上腕内側部位に添接する対応領域を形成したものであり、弾性ストラップの固定端が前記芯材の三日月形の弦方向に沿った添接片の横断方向端縁に腋の傾斜ラインに相応して段違いに逢着され、ブラジャーの肩紐に弾性ストラップの自由端を潜らせ半巻回して係合させ、かつ、掛止要素を介してループ状に結合することにより添接片を腋下に装着するものである請求項１記載の腋の汗とりパッド。
【請求項３】
吸汗速乾層がポリエステルと綿の混合繊維からなる弾性布帛であり、非透水層がポリエステル繊維からなる弾性布帛の片面にポリウレタンを被覆したものであり、弾性保形層の耐水性柔軟弾性芯材がポリウレタンフィルムシートである請求項１又は２記載の腋の汗とりパッド。
【考案の詳細な説明】
【技術分野】
【０００１】
本考案は、積層体からなり、かつ、折り曲げ等の変形に対して弾性回復する添接片を有し、ブラジャーの肩紐にストラップを係合させて腋下にフィット装着するようにした腋の汗とりパッドに関する。
【背景技術】
【０００２】
従来より、腋下の発汗を吸収し、かつ、衣服側に汗が滲出するのを防止することを目的とした汗とりパッドの提案があった。（例えば、特許文献１、２を参照。）
【特許文献１】実開昭５４−８３９８１号公報のマイクロフィルム（全頁、全図）
【特許文献２】登録実用新案公報第３０７９７１６号公報（全頁、全図）
【０００３】
ここでは、汗とりパッドを積層体とし、防水シートを介して上記目的を達成しようとしている。また、ブラジャーの肩紐にストラップを係合させて腋下に装着するとの記載がある。なお、上記特許文献２は本出願人による提案である。
【考案の開示】
【考案が解決しようとする課題】
【０００４】
しかしながら、上記従来技術では、いずれもパッド形状を幅広の三日月形をした内側片と外側片との内縁を互いに一体に縫合して、二つ折り形状の折り目を腋下に添接する形態となっており（折れ曲がったままであり）、腕を上げ、腋を開けたときに上腕内側部位へ添接可能な弾性回復する添接片は考慮されていない。したがって、この弾性回復する添接片の構成については、素材選定を含み形状や構造を改善する余地がある。
【０００５】
本考案は、このような事情に鑑みなされたものであって、上記課題を解消し、耐水性柔軟弾性芯材を介して腋下の発汗を吸収する吸汗速乾層と衣服側に汗が滲出するのを防止し、かつ、衣服への裏当てとなる非透水層との間に介在配置した弾性芯材により、身体動作にともなう折り曲げその他の変形に対して弾性回復する添接片を用い、使用において、常時、腋下への添接状態又はフィット装着を維持するようにした腋の汗とりパッドを提供するものである。
【課題を解決するための手段】
【０００６】
課題を解決するため本考案は、積層体からなる添接片を有し、ブラジャーの肩紐にストラップを係合させて腋下に装着するようにした腋の汗とりパッドの改善において、
身体動作にともなう折り曲げその他の変形に対して弾性回復する添接片を用い、使用において、常時、腋下への添接状態又はフィット装着を維持するようにした腋の汗とりパッドである。
【０００７】
その手段構成は、少なくとも３層構成の添接片が腋下の上腕内側部位と腋窩部位とを平面的に覆うように面状形成され、皮膚に当接する吸汗速乾層と、衣服への裏当てとなる非透水層と、前記層間の上腕内側部位に添接する対応領域に介在配置され耐水性柔軟弾性芯材からなる弾性保形層と、前記層間の腋窩部位に添接する対応領域で前記耐水性柔軟弾性芯材を除去した通気層を有し、各層の外周縁を固着一体化し、かつ、各層間を非接着状態で重合してなるとともに、前記添接片の横断方向両端縁に対形成され、一端を固定端として取着し、他端を自由端とし、かつ掛止要素を設けた弾性ストラップを有してなることを特徴とするものである。
【考案の効果】
【０００８】
本考案の汗とりパッドによれば、使用において腕の上げ下げ（腋の開け閉め）等の身体動作に影響されず、常時、腋下への添接状態を維持でき、ブラジャーの肩紐にストラップを係合させて腋下に装着するのでズレも防止できるので、フィット性を含む装着性と吸汗性が改善される。
【考案を実施するための最良の形態】
【０００９】
本考案を実施するための最良の形態は、上記構成において、耐水性柔軟弾性芯材が熱可塑性エラストマーであって、装着時の腋窩部位に添接する対応領域を幅広の三日月形に切除して上腕内側部位に添接する対応領域を形成したものである。
【００１０】
また、弾性ストラップの固定端が前記芯材の三日月形の弦方向に沿った添接片の横断方向端縁に腋の傾斜ラインに相応して段違いに逢着され、ブラジャーの肩紐に弾性ストラップの自由端を潜らせ半巻回して係合させ、かつ、掛止要素を介してループ状に結合することにより添接片を腋下に装着するものとされる。
【００１１】
より好適な素材は、吸汗速乾層がポリエステルと綿の混合繊維からなる弾性布帛であり、非透水層がポリエステル繊維からなる弾性布帛の片面（積層内面）にポリウレタンを被覆したものであり、弾性保形層の耐水性柔軟弾性芯材がポリウレタンフィルムシートである。
【実施例】
【００１２】
本考案の一実施例について添付図面を参照して以下説明する。
【００１３】
図１は右腋下装着用の実施例パッドを示す一部欠截構成説明図である。なお、左腋下用は左右勝手違いとなる。
【００１４】
図２は添接片の積層構造を示す図１中Ａ−Ａ断面視説明図である。
【００１５】
図３は装着状態を示す装着右側面視説明図である。
【００１６】
図４は腋を閉めた使用状態の装着正面視説明図である。
【００１７】
図５は腋を開けた使用状態の装着正面視説明図である。
【００１８】
図示するように、実施例パッドＸは、３層構成の添接片１が腋下の上腕内側部位３と腋窩部位４とを平面的に覆うように面状形成されている。３層は、それぞれ皮膚に当接する吸汗速乾層11と、衣服への裏当てとなる非透水層14と、層間に介在配置され耐水性柔軟弾性芯材(12)からなる弾性保形層12、又は該耐水性柔軟弾性芯材(12)を部分的に除去した通気層13からなり、各層の外周縁を固着一体化し、かつ、各層間を非接着状態で重合して添接片１を構成する。
【００１９】
吸汗速乾層11は、好適にはポリエステルと綿の混合繊維からなる弾性布帛であり、市販のバイセル〔日清紡績株式会社製〕が使用できる。この布帛に抗菌防臭機能を付加することも考慮されてよい。
【００２０】
非透水層14は、ポリエステル繊維からなる弾性布帛の片面（積層内面）にポリウレタンを被覆したものであり、市販品がある。
【００２１】
弾性保形層12（耐水性柔軟弾性芯材）は、好適には熱可塑性ポリウレタンフィルムシートであり、市販のモビロンフィルム〔日清紡績株式会社製〕が使用できる。
【００２２】
この弾性保形層12は、吸汗速乾層11と非透水層14間の上腕内側部位３に添接する対応領域に耐水性柔軟弾性芯材(12)を介在配置することにより構成される。また、耐水性柔軟弾性芯材(12)を腋窩部位４に添接する対応領域で部分的に除去して通気層13を形成する。ここでは、図１に示すように、耐水性柔軟弾性芯材(12)の下半部よりやや下方領域を幅広の三日月形に切除し、図３に示すように、装着時に腋を閉めた（上腕を下げた）ときに、芯材(12)の切除側端部121 （図中、曲げ代122 とした。）が折れ曲がるように造形している。芯材(12)の弾性回復を利用するためである。
【００２３】
また、添接片１の横断方向両端縁に長短の弾性ストラップ２を対形成し、一端を固定端として取着し、他端を自由端とし、かつ掛止要素21（図示ではホック。）を設けている。弾性ストラップ２は、固定端が芯材(12)の三日月形の弦方向に沿った添接片１の横断方向端縁に腋の傾斜ライン５に相応して段違いに逢着され、ブラジャー６の肩紐61に弾性ストラップ２の自由端を潜らせ半巻回して係合させ、かつ、掛止要素21を介してループ状に結合することにより添接片１を腋下に装着するものである。ここで、装着時に前側（身体の胸側）に位置する弾性ストラップ２を長めにするのが好ましい。〔図３〕なお、汗とりパッドは左右一対で提供されるものであるから、上記構成は左右勝手違い造形されることになる。
【００２４】
図４及び図５に示すように、使用において、耐水性柔軟弾性芯材(12)が弾性変形（回復）することにより、腕の上げ下げ（腋の開け閉め）等の身体動作に影響されず、常時、腋下への添接状態を維持できる。また、ブラジャー６の肩紐61に弾性ストラップ２を係合させて腋下に装着するのでズレもなく、ぴったりとしたフィット装着を果たせる。したがって、吸汗性能についても改善される。
【産業上の利用可能性】
【００２５】
本考案は保護的肌着又は身体の清浄具に包含される腋の汗とりパッドとして物品提供され、量産可能であり、従来品を改善し、機能性及び利便性を向上したものであるから、産業上の利用可能性を有する。
【図面の簡単な説明】
【００２６】
【図１】右腋下装着用を実施例パッドを示す一部欠截構成説明図である。
【図２】添接片の積層構造を示す図１中Ａ−Ａ断面視説明図である。
【図３】装着状態を示す装着右側面視説明図である。
【図４】腋を閉めた使用状態の装着正面視説明図である。
【図５】腋を開けた使用状態の装着正面視説明図である。
【符号の説明】
【００２７】
１  添接片
11  吸汗速乾層
12  弾性保形層（耐水性柔軟弾性芯材）
121 切除側端部
122 曲げ代
13  通気層
14  非透水層
２  弾性ストラップ
21  ホック（掛止要素）
３  上腕内側部位
４  腋窩部位
５  腋の傾斜ライン
６  ブラジャー
61  肩紐
Ｘ  汗とりパッド
【図１】
0003100981.tif 000003
【図２】
0003100981.tif 000004
【図３】
0003100981.tif 000005
【図４】
0003100981.tif 000006
【図５】
0003100981.tif 000007